(57)【特許請求の範囲】
【請求項１】
車載エンジン及びラジエータを、樹脂製のフロントグリルで覆ってなる作業車において、
前記フロントグリルの上部及び下部における左右２箇所にそれぞれ係止部を備え、これら係止部を前記フロントグリルと一体に成形してなり、
前記下部係止部は、前記フロントグリルの下面側に突出した、下方に開口した逆Ｕ字型の左右２個の係止部材で構成され、かつこれら逆Ｕ字の前後片が左右にずらせて一体成形されてなり、
前記上部係止部は、前記フロントグリルの上面側に突出しかつ前部に切込部を有する突出部からなり、
前記機体側に、係止レバー及びバネを有する引張り式係止金具を設け、
前記下部係止部を機体側に上方から係止した状態で、前記引張り式金具を前記突出部の切込部に掛けて前記係止レバーを後方に倒すことにより、前記バネに基づき前記突出部の背面を前記機体側に密着して係止する、
ことを特徴とする作業車のフロントグリル装置。
【発明の詳細な説明】
【０００１】
【発明の属する技術分野】
本発明は、建設用、農耕用等の屋外作業車に係り、詳しくは、該作業車に車載するエンジンおよびラジエタの前部を覆う、樹脂製のフロントグリル装置に関する。
【０００２】
【従来の技術】
従来、樹脂製のフロントグリルを機体に着脱する際、フロントグリル側に取付金具を装着し、ピン，ボルト，ナットまたは蝶ボルト等を使用して、フロントグリルを機体に着脱するものは、既に知られている。
【０００３】
【発明が解決しようとする課題】
既に知られている、樹脂製のフロントグリルを機体に着脱する際、フロントグリル側に取付金具を装着し、ピン，ボルト，ナットまたは蝶ボルト等を使用して、フロントグリルを機体に着脱するものは、部品点数が増え、材料コストが高く、組立工数も必要になって、全体的にコスト高になるばかりでなく、装着作業時に前記ピン，ボルト，ナットまたは蝶ボルト等を紛失するおそれもあった。
【０００４】
そこで、本発明は、樹脂製のフロントグリルを機体に着脱する際、フロントグリル側には一切取付用部品を装着せず、フロントグリルのコストを安くすると共に、着脱作業を簡単にすることを目的とする。
【０００５】
【課題を解決するための手段】
本発明は、上述事情に鑑みなされたものであって、車載エンジン（５）及びラジエータ（８）を、樹脂製のフロントグリル（１３）で覆ってなる作業車（１）において、
前記フロントグリル（１３）の上部及び下部における左右２箇所にそれぞれ係止部（１３ａ，１３ｂ）を備え、これら係止部を前記フロントグリル（１３）と一体に成形してなり、
前記下部係止部（１３ａ）は、前記フロントグリルの下面側に突出した、下方に開口した逆Ｕ字型の左右２個の係止部材で構成され、かつこれら逆Ｕ字の前後片が左右にずらせて一体成形されてなり、
前記上部係止部（１３ｂ）は、前記フロントグリルの上面側に突出しかつ前部に切込部（１４ｂ）を有する突出部（１４）からなり、
前記機体（１０）側に、係止レバー（２４ｂ）及びバネ（２５）を有する引張り式係止金具（２４）を設け、
前記下部係止部（１３ａ）を機体側に上方から係止した状態で、前記引張り式金具（２４）を前記突出部（１４）の切込部（１４ｂ）に掛けて前記係止レバー（２４ｂ）を後方に倒すことにより、前記バネ（２５）に基づき前記突出部（１４）の背面（１４ａ）を前記機体側に密着して係止する、
ことを特徴とする。
【０００６】
（作用）
樹脂製のフロントグリル（１３）を機体（１）に装着する際は、前記フロントグリル（１３）の下部係止部（１３ａ）を、機体（１８）前方下部に設けられた支持棒（２０）に係合し、フロントグリル（１３）の上面側に突出した上部係止部（１３ｂ）に、機体（１）側の弾性体の引張り式係止金具（２４）で係止する。
【０００７】
フロントグリル（１３）を機体（１）から離脱する際は、上記と逆に、フロントグリル（１３）の上部を係止している弾性体の引張り式係止金具（２４）を、フロントグリル（１３）の上部係止部（１３ｂ）から外し、次にフロントグリル（１３）を上方に持ち上げて、フロントグリル（１３）の下部係止部（１３ａ）と前記支持棒（２０）との係合を解除する。
【０００８】
なお、上述カッコ内の符号は、図面と対照するものであるが、何ら本発明の構成を限定するものではない。
【０００９】
【発明の実施の形態】
以下、図面に沿って、本発明の実施の形態例について説明する。
【００１０】
図１において、農業用トラクタ１は操向ハンドル２により、操向自在の前輪３と、農業用トラクタ１の前部に配設されたエンジン５の動力により、農業用トラクタ１を前後進させる後輪６を備えている。
【００１１】
前記エンジン５の前方には、エンジン５の冷却水を熱交換するラジエタ８及びエンジン５起動用のバッテリ９が、フレーム１０上に装着されている。
【００１２】
これらエンジン５，ラジエタ８及びバッテリ９の機能部材の保護と、人体への危険防止のために、上部ボンネット１１，左右カバー１２及び前部からフロントグリル１３が、エンジン５，ラジエタ８及びバッテリ９を覆っている。
【００１３】
前記フロントグリル１３は、外観上種々のデザインが施された樹脂製で形成されるが、図２〜図５に示すように、下面側に、下方に開口した逆Ｕ字状の左右２個の係止部材１３ａを有し、上面には上部係止部１３ｂを上面に突出させて、本体と一体に成形されている。
【００１４】
前記係止部材１３ａは、図３及び図４に示すように、前後片を左右ににずらせ、正面視で重複しないように配設されて、一体樹脂成形の際の型抜きを容易にしている。
【００１５】
また、前記係止部材１３ｂは、図３及び図４に示すように、フロントグリル１３上面の左右２箇所に、上面に突出部１４を設けて、フロントグリル１３本体と一体成形されているが、後述の引張り式係止金具２４に直接当接して係止するため、突出部１４の左右を肉盛りして剛性を高くしている。
【００１６】
一方、農業用トラクタ１の前方下部には、図２に示すように、左右の主フレーム１８の内側に装着された取付金具１９を介して、支持棒２０が主フレーム１８の内側全幅にわたって装着されている。
【００１７】
前記係止部材１３ａの開口部を上方からこの支持棒２０に挿嵌することによって、フロントグリル１３の下部と主フレーム１８が係合する。
【００１８】
また、前記主フレーム１８の上面には、図２及び図６に示すように、左右の主フレーム１８をフロントグリル１３の上面位置で連結するアーチ状の副フレーム２１が固着され、副フレーム２１の上面には、前記フロントグリル１３の突出部１４に対応する位置に、バネ引張り式の係止金具２４の本体が固着されている。
【００１９】
前記フロントグリル１３の突出部１４の背面１４ａと、係止金具２４の背面２４ａとを当接させ、係止金具２４のバネ２５を突出部１４の切込部１４ｂに掛け、係止レバー２４ｂを後方に倒すことにより、突出部１４の背面１４ａと係止金具２４の背面２４ａとが隙間なく密着し、フロントグリル１３の上部と副フレーム２１が確実に係合する。
【００２０】
次に本実施の形態例の作用について説明する。
【００２１】
上記構造に基づき、フロントグリル１３を農業用トラクタ１の機体に装着する際は、前記フロントグリル１３の下部係止部材１３ａを、上方から支持棒２０に挿嵌し、フロントグリル１３の上面の突出部１４の背面１４ａと、係止金具２４の背面２４ａとを当接させ、係止金具２４のバネ２５を突出部１４の切込部１４ｂに掛け、係止レバー２４ｂを後方に倒すことにより、突出部１４の背面１４ａと係止金具２４の背面２４ａとが隙間なく密着し、フロントグリル１３が確実に農業用トラクタ１の機体に装着される。
【００２２】
フロントグリル１３を農業用トラクタ１の機体から離脱する際は、上記と逆に、フロントグリル１３の上部を係止している係止金具２４の係止レバー２４ｂを前方に倒し、バネ２５を突出部１４の切込部１４ｂから外し、上部の係止状態を解除した後、フロントグリル１３本体を上方に持ち上げて、下部係止部材１３ａを、支持棒２０から外して下部の係止状態を解除する。
【００２３】
【発明の効果】
本発明は、車載エンジン及びラジエータを、樹脂製のフロントグリルで覆ってなる作業車において、前記フロントグリルを機体に取付ける上下の係止部を備え、該係止部を前記フロントグリルと一体に成形したので、構造が簡単で着脱が容易になり、コストが安くなった。
【００２４】
また、前記フロントグリルの下部係止部を、前記フロントグリルの下面側に、下方に開口した逆Ｕ字型の左右２個の係止部材で構成し、更に逆Ｕ字の前後片を左右にずらせて一体成形したので、安定して支持出来ると共に、着脱が容易になり、成形時の型抜きも容易になり、コストダウンになった。
【００２５】
更に、前記フロントグリルの上部係止部を、前記フロントグリルの左右２箇所において上面側に突出させて、機体側に固定した弾性体の引張り式係止金具で係止したので、操作が簡単で確実に着脱できるようになった。
【図面の簡単な説明】
【図１】農業用トラクタの外観側面図である。
【図２】フロントグリル部の側面図である。
【図３】フロントグリルの正面図である。
【図４】フロントグリルの外観側面図である。
【図５】フロントグリル上面の突出部の側面図である。
【図６】フロントグリル部の平面図である。
【符号の説明】
１        農業用トラクタ
５        エンジン
８        ラジエータ
１３      フロントグリル
１８      主フレーム
２０      支持棒
２１      副フレーム
２４      係止金具
【図１】
0003911600.tif 000002
【図２】
0003911600.tif 000003
【図３】
0003911600.tif 000004
【図４】
0003911600.tif 000005
【図５】
0003911600.tif 000006
【図６】
0003911600.tif 000007